(57)【特許請求の範囲】
【請求項１】
画像および音声の記録および再生が可能なテレビ電話装置において、
記録媒体に画像データおよび音声データを記録する記録手段と、前記記録媒体に記録された画像データおよび音声データに関する記録情報を記憶する記憶手段と、前記記憶手段に記憶された前記記録情報を表示する表示手段と、前記表示手段の表示に基づいて前記記録情報を選択する選択手段と、前記選択手段により選択された画像データおよび音声データを再生する再生手段と、前記記録情報を前記記憶手段に書き込みおよび前記記憶手段から前記記録情報を読み込む記録情報書き込み／読み込み手段とを有し、
前記表示手段の表示から前記選択手段により選択した前記記録情報について前記記録情報書き込み／読み込み手段によりメモを追加書き込み可能としたことを特徴とするテレビ電話装置。
【発明の詳細な説明】
【０００１】
【産業上の利用分野】
本発明は、伝送路を介して画像情報および音声情報を同時に送受信するテレビ電話装置に関するものである。
【０００２】
【従来の技術】
近年、情報通信および画像圧縮技術の高度化および統一規格化を背景に、画像を音声とともに送受信するテレビ電話装置が開発されている。このテレビ電話装置においても、記録媒体の高密度化により録画および再生の機能を備えることが可能になってきている。
【０００３】
以下、従来のテレビ電話装置について説明する。図７は録画再生が可能な従来のテレビ電話装置のブロック図である。
【０００４】
図７において、映像コーデック部３には、Ａ／Ｄ変換部２を介して自画像を撮影するカメラ１が接続され、かつＤ／Ａ変換部４を介して相手方の装置からの映像または自画像を表示する画像表示部５が接続されている。Ａ／Ｄ変換部２は、カメラ１からの映像信号をデジタルデータに変換して画像データとして映像コーデック部３に与える。Ｄ／Ａ変換部４は、映像コーデック部３からの画像データをアナログ映像信号に変換して画像表示部５に与える。映像コーデック部３は、Ａ／Ｄ変換部２から与えられた画像データを圧縮符号化し、または圧縮符号化された画像データを伸張復号化してＤ／Ａ変換部４に与える。
【０００５】
音声コーデック部７には、相手と通話するためのマイク＆スピーカ部６が接続されている。音声コーデック部７は、マイクからの音声データを圧縮符号化し、または圧縮符号化された音声データを伸張復号化してスピーカに出力する。
【０００６】
多重化分離部８は、映像コーデック部３からの画像データおよび音声コーデック部７からの音声データを回線上に同時に送出するための多重化を行い、または回線から受け取った多重化された画像データおよび音声データの分離を行う。回線インタフェース部９は、このテレビ電話装置をデジタル伝送路であるＩＳＤＮ網１０の電話回線に接続する。
【０００７】
操作部１１は、電話番号の入力および機能の選択を行うために用いられる。システム制御部１２は、操作部１１のキー入力に基づいてテレビ電話装置の全体の制御を行う。多重化分離部８には、画像データおよび音声データを記録するための画像音声記録媒体１３が接続されている。
【０００８】
次に、図７のテレビ電話装置の動作について説明する。
操作部１１によりテレビ電話装置を録画モードに設定した場合には、カメラ１からの画像データおよびマイク６からの音声データがそれぞれ映像コーデック部３および音声コーデック部７に与えられ、それぞれ圧縮符号化される。多重化分離部８は、圧縮符号化された画像データおよび音声データを多重化した後、多重化された画像データおよび音声データを画像音声記録媒体１３に記録し、データの蓄積を行う。
【０００９】
操作部１１によりテレビ電話装置を再生モードに設定した場合には、画像音声記録媒体１３から多重化された画像データおよび音声データが読み出され、多重化分離部８により分離された後、それぞれ映像コーデック部３および音声コーデック部７により伸張復号化され、画像表示部５およびマイク＆スピーカ部６により再生される。
【００１０】
操作部１１によりテレビ電話装置を通信中の録画モードに設定した場合には、相手方の装置から回線を通じて送られてきた画像データおよび音声データが回線インタフェース部９を介して多重化分離部８に入力され、直接画像音声記録媒体１３に記録される。相手方の装置から回線を通じて送られてきたデータを再生する場合には、操作部１１によりテレビ電話装置を再生モードに設定する。それにより、画像音声記録媒体１３に記録された画像データおよび音声データが読み出され、多重化分離部８により分離された後、それぞれ映像コーデック部３および音声コーデック部７により伸張復号化され、画像表示部５およびスピーカ６により再生される。
【００１１】
このような録画および再生の機能により未通信時および通信中に録画および再生が可能となる。また、同様にして、留守番メッセージの録画、留守番機能実行中の留守番メッセージの再生、および相手からの画像および音声の留守番録画が可能となる。
【００１２】
【発明が解決しようとする課題】
しかしながら、上記の従来のテレビ電話装置では、未通信時に前もって録画しておいた画像データおよび音声データ、留守番機能実行中に録画された画像データおよび音声データ、通信中に録画した画像データおよび音声データ等が画像音声記録媒体１３に混在した場合、再生したい画像データおよび音声データが画像音声記録媒体１３中のどの位置に記録されているかを知ることができず、実際に各画像データおよび音声データを再生してみなければ、各画像データおよび音声データの種類や内容を知ることができなかった。
【００１３】
また、所望の画像データおよび音声データを再生するためには、利用者が再生画像を画面で確認しながら頭出し作業をキー操作で行わなければならず、操作性が悪かった。
【００１４】
本発明は、記録媒体に記録された各画像データおよび音声データの種類および内容を簡単な操作で確認して所望の画像データおよび音声データを再生することができるテレビ電話装置を提供することを目的とする。
【００１５】
【課題を解決するための手段】
（１）第１の発明
第１の発明に係るテレビ電話装置は、画像および音声の記録および再生が可能なテレビ電話装置において、記録媒体に画像データおよび音声データを記録する記録手段と、記録媒体に記録された画像データおよび音声データに関する記録情報を記憶する記憶手段と、記憶手段に記憶された記録情報を表示する表示手段と、表示手段の表示に基づいて記録情報を選択する選択手段と、選択手段により選択された画像データおよび音声データを再生する再生手段と、記録情報を記憶手段に書き込みおよび記憶手段から記録情報を読み込む記録情報書き込み／読み込み手段とを有し、表示手段の表示から選択手段により選択した記録情報について記録情報書き込み／読み込み手段によりメモを追加書き込み可能としたことを特徴とするものである。
【００１６】
（２）第２の発明
第２の発明に係るテレビ電話装置は、第１の発明に係るテレビ電話装置の構成において、記録媒体の取外し時に記憶手段に記憶された記録情報を記録媒体に書き込み、記録媒体の装着時に記録媒体に記憶された記録情報を記憶手段に読み込む記録情報書き込み／読み込み手段をさらに備えたものである。
【００１７】
【作用】
第１および第２の発明に係るテレビ電話装置においては、記録媒体に記録された画像データおよび音声データに関する記録情報が記憶手段に記憶され、記憶手段に記憶された記録情報が表示手段により表示される。それにより、記録媒体に記録された各画像データおよび音声データの種類および内容を簡単な操作で確認することができる。そして、表示手段の表示に基づいて選択手段により記録媒体に記録された画像データおよび音声データを選択し、選択された画像データおよび音声データを再生することができる。
【００１８】
第２の発明に係るテレビ電話装置においては、記録媒体の取外し時に記憶手段に記憶された記録情報が記録媒体に書き込まれ、記録媒体の装着時に記録媒体に記憶された記録情報が記憶手段に読み込まれるので、記録媒体の交換が可能となる。それにより、より多くの画像データおよび音声データの記録が可能になるとともに、画像データおよび音声データの保管が可能となる。
【００１９】
【実施例】
以下、本発明の実施例を図面を参照しながら詳細に説明する。
【００２０】
図１は本発明の一実施例におけるテレビ電話装置のブロック図である。図１において、図７と同一または相当部分に同一符号を付し、その説明を省略する。
【００２１】
図１のテレビ電話装置が図７のテレビ電話装置と異なるのは、録画情報記憶領域１４、オンスクリーン制御部１５および録画情報書き込み／読み込み部１６をさらに設けた点である。本実施例においては、録画情報記憶領域１４が記憶手段を構成し、オンスクリーン制御部１５が表示手段を構成する。
【００２２】
録画情報記憶領域１４は、録画中に録画種別、タイムスタンプ、録画時間、通信中の録画であれば通信相手の電話番号、画像データおよび音声データが記録されている画像音声記録媒体１３のアドレス等からなる録画情報（記録情報）を記憶する。オンスクリーン制御部１５は、録画情報記憶領域１４に記憶された録画情報を画像表示部５のディスプレイに表示する。録画情報書き込み／読み込み部１６は、システム制御部１２から録画情報記憶領域１４への録画情報の書き込みおよび録画情報記憶領域１４からのシステム制御部１２への録画情報の読み込みを行う。
【００２３】
図２は本発明の一実施例におけるテレビ電話装置の録画情報記憶領域１４に記憶される録画情報の内容を示す図である。図２において、録画種別２１は、画像音声記録媒体１３に記録された該当する画像データおよび音声データが、未通信時に前もって録画したものであるか、通信中に通信相手から送られてきたものであるか、留守番機能用の留守番メッセージを録画したものであるか、あるいは留守中に通信相手から送られてきたメッセージを留守番録画したものであるかを示す。タイムスタンプ２２は録画の開始時間を示す。録画時間２３は録画の長さを示す。電話番号２４は、該当する画像データおよび音声データが通信中に通信相手から送られてきた画像データおよび音声データを録画したものである場合にその相手の電話番号を示す。アドレス２５は、該当する画像データおよび音声データが実際に記録されている画像音声記録媒体１３中のアドレスを示す。メモ２６は任意のメッセージである。
【００２４】
次に、図１のテレビ電話装置の動作について説明する。ここでは、画像音声記録媒体１３をランダムアクセス可能な記憶媒体として説明する。
【００２５】
まず、未通信時の録画においては、操作部１１によりテレビ電話装置を録画モードに設定する。この場合、カメラ１からの映像信号がＡ／Ｄ変換部２によりデジタル化されて画像データとして映像コーデック部３に与えられ、マイク＆スピーカ部６のマイクからの音声データが音声コーデック部７に与えられ、それぞれ圧縮符号化される。さらに、圧縮符号化された画像データおよび音声データが多重化分離部８により多重化された後、画像音声記録媒体１３に記録される。このとき、システム制御部１２により、タイムスタンプ（録画開始時間）２２、録画時間２３、画像音声記録媒体１３中の画像データおよび音声データの録画開始アドレス２５、および未通信時の録画である旨を示す録画種別２１が録画情報として録画情報書き込み／読み込み部１６を介して録画情報記憶領域１４に自動的に書き込まれる。
【００２６】
また、通信中の録画においては、システム制御部１２により通信中の録画である旨が録画種別２１で自動的に決定され、ＩＳＤＮの通信開始時のプロトコルにより知り得た通信相手の電話番号２４、タイムスタンプ（録画開始時間）２２、録画時間２３および録画開始アドレス２５が録画情報として録画情報書き込み／読み込み部１６を介して録画情報記憶領域１４に書き込まれる。
【００２７】
留守番メッセージの録画においては、操作部１１によりテレビ電話装置を留守番メッセージ録画モードに設定する。この場合、システム制御部１２により留守番メッセージの録画である旨を示す録画種別２１が録画情報書き込み／読み込み部１６を介して録画情報記憶領域１４に記憶される。
【００２８】
留守中の留守番録画においては、テレビ電話装置が留守番機能により相手方の装置とリンクされた後、システム制御部１２により録画情報記憶領域１４が自動的に検索され、留守番メッセージがあれば、画像音声記録媒体１３の該当するアドレス２５から録画時間２３の分だけ画像データおよび音声データが読み出されて相手方の装置に送信され、留守番メッセージの終了後、相手方の装置から送られてくる画像データおよび音声データの録画が開始される。この場合、留守番録画である旨を示す録画種別２１、タイムスタンプ（録画開始時間）２２、録画時間２３、録画開始アドレス２５および相手方の電話番号２４が録画情報として録画情報書き込み／読み込み部１６を介して録画情報記憶領域１４に書き込まれる。
【００２９】
図３は本発明の一実施例における再生時の利用者へのディスプレイ表示例を示す図である。図４は本発明の一実施例におけるさらに詳細なディスプレイ表示例を示す図である。
【００３０】
再生時には、通信中および未通信時を問わず、システム制御部１２により録画情報書き込み／読み込み部１６を介して録画情報記憶領域１４の録画情報が読み出され、図３に示すように、オンスクリーン制御部１５により画像表示部５のディスプレイに留守番メッセージの有無、留守番録画の件数、未通信時録画の件数および通信中録画の件数が表示される。
【００３１】
操作部１１によりディスプレイに表示された番号を選択すると、複数件の録画情報がある場合には、図４に示すように、選択された録画情報のさらに詳細な内容がディスプレイに表示される。操作部１１によりディスプレイに表示された番号を用いて再生すべき対象を選択すると、システム制御部１２により録画情報記憶領域１４から該当する録画情報が選択され、画像音声記録媒体１３中のアドレスが得られる。このアドレスに基づいて画像音声記録媒体１３から該当する画像データおよび音声データが読み出され、多重化分離部８により分離された後、それぞれ映像コーデック部３および音声コーデック部７により伸張復号化される。伸張復号化された画像データはＤ／Ａ変換部４によりアナログ化されて画像表示部５により再生され、伸張復号化された音声データはマイク＆スピーカ部６のスピーカにより再生される。
【００３２】
このようにして、利用者は、画像表示部５のディスプレイを見ながら操作部１１により再生すべき対象を選択するだけで、画像および音声の再生がスムーズに開始される。
【００３３】
録画情報にメモ２６を追加する場合には、操作部１１によりテレビ電話装置をメモ追加モードに設定する。この場合、システム制御部１２により録画情報記憶領域１４の録画情報が録画情報書き込み／読み込み部１６を介して読み出され、図３に示すように、オンスクリーン制御部１５により画面表示部５のディスプレイに留守番メッセージの有無、留守番録画の件数、未通信時録画の件数および通信中録画の件数が表示される。
【００３４】
操作部１１によりディスプレイに表示された番号を選択すると、複数件の録画情報がある場合に、図４に示すように、選択された録画情報のさらに詳細な内容が表示される。図４の表示を見ながら、操作部１１によりメモを追加すべき対象を選択すると、システム制御部１２により録画情報記憶領域１４から該当する録画情報が選択され、オンスクリーン制御部１５により画像表示部５のディスプレイに、図５に示すようなメモの追加状態の表示が行われる。操作部１１によりメモ２６の内容を入力すると、システム制御部１２により録画情報書き込み／読み込み部１６を介して録画情報記憶領域１４の該当する録画情報にメモ２６が書き込まれる。
【００３５】
図６は本発明の他の実施例におけるテレビ電話装置のブロック図である。図６において、図１と同一または相当部分に同一符号を付し、その説明を省略する。
【００３６】
図６のテレビ電話装置が図１のテレビ電話装置と異なるのは、録画情報書き込み／読み込み部１７がさらに設けられた点である。録画情報書き込み／読み込み部１７は、システム制御部１２から与えられる録画情報を画像音声記録媒体１３に書き込み、画像音声記録媒体１３に記憶される録画情報をシステム制御部１２に読み込む。ここで、画像音声記録媒体１３が例えばＩＣカードであるものとする。本実施例では、録画情報書き込み／読み込み部１７が記録情報書き込み／読み込み手段を構成する。
【００３７】
ＩＣカードをテレビ電話装置から取り外す場合には、録画情報記憶領域１４内の各録画情報を録画情報書き込み／読み込み部１６を介してシステム制御部１２に読み込む。システム制御部１２は、読み込まれた各録画情報を録画情報書き込み／読み込み部１７を介してＩＣカード内の予め定められたアドレスに書き込む。ＩＣカードをテレビ電話装置に装着する場合には、ＩＣカード内の予め定められたアドレスから録画情報を録画情報書き込み／読み込み部１７を介してシステム制御部１２に読み込む。システム制御部１２は、読み込まれた録画情報を録画情報書き込み／読み込み部１６を介して録画情報記憶領域１４に書き込む。
【００３８】
このようにして、ＩＣカードの交換が可能となる。それにより、より多くの画像データおよび音声データの録画が可能になるとともに、画像データおよび音声データの保管が可能となる。
【００３９】
【発明の効果】
第１および第２の発明によれば、記録媒体に記録された各画像データおよび音声データの種類および内容を簡単な操作で確認し、所望の画像データおよび音声データを再生することができる。したがって、操作性が非常に高く、余分な作業が不要なテレビ電話装置が得られる。
【００４０】
第２の発明によれば、記録媒体の交換が可能となるので、より多くの画像データおよび音声データを録画することが可能になるとともに、画像データおよび音声データの保管が可能となる。
【図面の簡単な説明】
【図１】本発明の一実施例におけるテレビ電話装置のブロック図
【図２】本発明の一実施例におけるテレビ電話装置の録画情報記憶領域に記憶される録画情報の内容を示す図
【図３】本発明の一実施例における再生時の利用者へのディスプレイ表示例を示す図
【図４】本発明の一実施例におけるさらに詳細なディスプレイ表示例を示す図
【図５】本発明の一実施例におけるメモ追加時のディスプレイ表示例を示す図
【図６】本発明の他の実施例におけるテレビ電話装置のブロック図
【図７】従来のテレビ電話装置のブロック図
【符号の説明】
１  カメラ
２  Ａ／Ｄ変換部
３  映像コーデック部
４  Ｄ／Ａ変換部
５  画像表示部
６  マイク＆スピーカ部
７  音声コーデック部
８  多重化分離部
９  回線インタフェース部
１０  ＩＳＤＮ網
１１  操作部
１２  システム制御部
１３  画像音声記録媒体
１４  録画情報記憶領域
１５  オンスクリーン制御部
１６  録画情報書き込み／読み込み部
１７  録画情報書き込み／読み込み部
２１  録画種別
２２  タイムスタンプ
２３  録画時間
２４  電話番号
２５  アドレス
２６  メモ
【図１】
0003591022.tif 000002
【図２】
0003591022.tif 000003
【図３】
0003591022.tif 000004
【図４】
0003591022.tif 000005
【図５】
0003591022.tif 000006
【図６】
0003591022.tif 000007
【図７】
0003591022.tif 000008